(57)【要約】      （修正有）【課題】頭の凝りなどをしっかりとほぐすことを可能とするマッサージ器具を提供する。【解決手段】マッサージ器具１０は、側面部において外側に向けて湾曲した複数の湾曲部１２ａが形成される本体部１２と、本体部の上面部に設けられ、所定の間隔を置いて配置される複数の突起部１４と、本体部に連結され、ユーザの手で把持可能な把持部１６と、を備え、本体部、複数の突起部、及び、把持部は、セルロース系樹脂で構成されていることを特徴とする。【選択図】図１
0003234949.tif 000002
【実用新案登録請求の範囲】
【請求項１】
側面部において外側に向けて湾曲した複数の湾曲部が形成される本体部と、
前記本体部の上面部に設けられ、所定の間隔を置いて配置される複数の突起部と、
前記本体部に連結され、ユーザの手で把持可能な把持部と、
を備え、
前記本体部、前記複数の突起部、及び、前記把持部は、セルロース系樹脂で構成されていることを特徴とするマッサージ器具。
【請求項２】
請求項１に記載のマッサージ器具において、
前記各突起部は、突出方向に直交する方向に切断される切断面が円であり、前記円の最大直径が８ｍｍ〜１０ｍｍに設定されていることを特徴とするマッサージ器具。
【請求項３】
請求項１または請求項２に記載のマッサージ器具において、
前記複数の突起部は、前記本体部の長手方向に沿った複数の列をなすように設けられており、
前記複数の列は、中央部に向かうほど高さが高くなるように設定されていることを特徴とするマッサージ器具。
【考案の詳細な説明】
【技術分野】
【０００１】
本考案は、マッサージ器具に関する。
【背景技術】
【０００２】
従来、頭皮をマッサージするための器具が開発されている。本考案に関連する技術として、例えば、特許文献１には、扁平な横断面形状を有すると共に、先端部分に複数の先端突起が前記扁平な横断面形状の長軸方向に間隔をおいて立設配置された、エラストマー樹脂からなるへら状突起と、エラストマー樹脂からなる複数の錐体状突起とが、基台のブラシ面から突出している頭皮マッサージ用ブラシであって、前記ブラシ面の中央部分に、複数の前記へら状突起が間隔を置いて直列状に配置された中央突起群を有し、該中央突起群の両側それぞれに前記錐体状突起が配置されており、前記錐体状突起は、円錐台状の基部と、該基部の先端から更に突出し、消失又は減少によりブラシの交換時期を知らせるインジケーター突起とを有する頭皮マッサージ用ブラシが開示されている。
【０００３】
また、特許文献２には、把持した時に人体の手の掌と向かい合う面を表面側とすると共に、ブラシ毛を複数設けるブラシ面を裏面側とする把持可能な基台の側面側に、マッサージ用の突起部を設けたことを特徴とする頭部用ブラシであって、人体の手の指を挿入するための貫通孔部を前記基台の前記突起部付近に設ける頭部用ブラシが開示されている。
【先行技術文献】
【特許文献】
【０００４】
【特許文献１】特開２００９−２４０７６８号公報
【特許文献２】特開２０２０−９６７７５号公報
【考案の概要】
【考案が解決しようとする課題】
【０００５】
上記特許文献１，２によれば、ブラシを用いて頭皮などをマッサージすることが可能であるため、緩やかに頭皮を刺激することができるものの、頭の凝りなどをしっかりほぐすような力を与えることができない。
【０００６】
本考案の目的は、頭の凝りなどをしっかりとほぐすことを可能とするマッサージ器具を提供することである。
【課題を解決するための手段】
【０００７】
本考案に係るマッサージ器具は、側面部において外側に向けて湾曲した複数の湾曲部が形成される本体部と、前記本体部の上面部に設けられ、所定の間隔を置いて配置される複数の突起部と、前記本体部に連結され、ユーザの手で把持可能な把持部と、を備え、前記本体部、前記複数の突起部、及び、前記把持部は、セルロース系樹脂で構成されていることを特徴とする。
【０００８】
また、本考案に係るマッサージ器具において、前記各突起部は、突出方向に直交する方向に切断される切断面が円であり、前記円の最大直径が８ｍｍ〜１０ｍｍに設定されていることが好ましい。
【０００９】
また、本考案に係るマッサージ器具において、前記複数の突起部は、前記本体部の長手方向に沿った複数の列をなすように設けられており、前記複数の列は、中央部に向かうほど高さが高くなるように設定されていることが好ましい。
【考案の効果】
【００１０】
本考案によれば、頭の凝りなどをしっかりとほぐすことが出来る。
【図面の簡単な説明】
【００１１】
【図１】本考案に係る実施形態において、マッサージ器具を示す図である。
【考案を実施するための形態】
【００１２】
以下に、本考案に係る実施の形態について添付図面を参照しながら詳細に説明する。  以下では、全ての図面において同様の要素には同一の符号を付し、重複する説明を省略する。また、本文中の説明においては、必要に応じそれ以前に述べた符号を用いるものとする。
【００１３】
図１は、本考案に係る実施形態において、マッサージ器具１０を示す図である。図１（ａ）は、先端側からマッサージ器具１０を見た様子を示す正面図であり、図１（ｂ）は、マッサージ器具１０の平面図であり、図１（ｃ）は、マッサージ器具１０の左側面図である。
【００１４】
マッサージ器具１０は、頭部の凝りなどを簡便にマッサージするための器具である。マッサージ器具１０は、本体部１２と、複数の突起部１４と、把持部１６とを備えている。
【００１５】
本体部１２は、側面部において外側に向けて湾曲した複数の湾曲部１２ａが形成されている。本体部１２は、図１（ｂ）に示される平面視では略矩形形状を有しており、矩形を構成する各辺には湾曲部１２ａが設けられている。
【００１６】
本体部１２のサイズの一例を挙げると、短辺は約４ｃｍであり、長辺は約８ｃｍであり、厚みは約１ｃｍであるものとして説明するが、もちろん、このサイズは適宜変更可能である。
【００１７】
複数の湾曲部１２ａは、緩やかな円弧状の突起が外側に向けて突出して形成されており、図１（ｂ）に示される例では、短辺に円弧状の突起が４つ形成され、長辺に円弧状の突起が６つ形成されているものとして説明するが、もちろん、適宜変更可能である。
【００１８】
複数の突起部１４は、本体部１２の上面部に設けられ、所定の間隔を置いて配置される。複数の突起部１４は、本体部１２の長手方向に沿った複数の列をなすように設けられており、複数の列は、中央部に向かうほど高さが高くなるように設定されている。
【００１９】
各突起部１４は、上端部が丸みを帯びる略円柱形状の部材である。各突起部１４は、突出方向に直交する方向に切断される切断面が円であり、円の最大直径が、ここでは、８ｍｍ〜１０ｍｍに設定されているが、もちろん、適宜変更可能である。
【００２０】
図１（ｂ）に示される例では、複数の突起部１４は、１０行５列に整列して配置されている。隣接する突起部１４の間隔は、ここでは、２ｍｍ〜３ｍｍに設定するものとして説明するが、もちろん、適宜変更可能である。
【００２１】
また、各突起部１４の高さは、ここでは、約１ｃｍに設定するものとして説明するが、高さについても適宜変更可能である。
【００２２】
把持部１６は、本体部１２に連結され、ユーザの手で把持可能な棒状部材である。把持部１６は、本体部１２の背面側の側面のうち、中央部から延伸する部材である。本体部１２は、ユーザが握りやすい程度の直径（例えば、約１ｃｍ）を有する略円柱形状を有している。
【００２３】
本体部１２、複数の突起部１４、及び、把持部１６は、セルロース系樹脂で構成されている。
【００２４】
セルロース系樹脂は、酢酸綿を主原料にした熱可塑性樹脂で、一般のプラスチック同様、射出成形、押出成形に使われる。透明性・耐衝撃性・耐油性に優れ、金属インサートしてもクラックが発生しにくいなどの特徴がある。この特徴を生かしドライバーや工具の柄、オイルタンクなどの機器部品に使用されている。
【００２５】
また、セルロース系樹脂の特徴として、透明度が高いため、きれいな色が表現でき、切削加工性が良く、しなやかな樹脂で、割れにくく、適度な吸湿性があり、肌にフィットするという特徴がある。
【００２６】
ここでは、本体部１２は、セルロース系樹脂であるものとして説明したが、ユーザの頭部の凝りを解すのに、その他、適切な材質のものを用いてもよい。例えば、ポリエチレン （ＰＥ）、高密度ポリエチレン（ＨＤＰＥ）、中密度ポリエチレン（ＭＤＰＥ）、低密度ポリエチレン（ＬＤＰＥ）、ポリプロピレン（ＰＰ）、ポリスチレン（ＰＳ）、ポリ酢酸ビニル（ＰＶＡｃ）、ポリウレタン（ＰＵＲ）、ポリ乳酸テフロン - （ポリテトラフルオロエチレン、ＰＴＦＥ）、ＡＢＳ樹脂（アクリロニトリルブタジエンスチレン樹脂）、ＡＳ樹脂、アクリル樹脂（ＰＭＭＡ）、ポリ塩化ビニル（ＰＶＣ）、ポリ塩化ビニリデンなどで構成してもよい。
【００２７】
また、ポリアミド（ＰＡ）、ポリアセタール（ＰＯＭ）、ポリカーボネート （ＰＣ）、変性ポリフェニレンエーテル（ｍ−ＰＰＥ、変性ＰＰＥ，ＰＰＯ）、ポリエチレンテレフタレート （ＰＥＴ）、グラスファイバー強化ポリエチレンテレフタレート（ＧＥ−ＰＥＴ）、ポリブチレンテレフタレート（ＰＢＴ）、環状ポリオレフィン（ＣＯＰ）などで構成してもよい。
【００２８】
さらに、ポリフェニレンスルファイド （ＰＰＳ）、ポリテトラフロロエチレン（ＰＴＦＥ）、ポリサルフォン（ＰＳＦ）、ポリエーテルサルフォン（ＰＥＳ）、非晶ポリアリレート（ＰＡＲ）、液晶ポリマー（ＬＣＰ）、ポリエーテルエーテルケトン（ＰＥＥＫ）、熱可塑性ポリイミド（ＰＩ）、ポリアミドイミド（ＰＡＩ）などで構成してもよい。
【００２９】
続いて、上記構成のマッサージ器具１０の作用について説明する。近年、健康ブームであり、体の様々な部位をマッサージする器具が開発されている。マッサージの対象と言えば、肩凝り、首凝り、腰痛などがあり、これらの症状を和らげるために、肩、首、腰などに関連する健康器具が多数開発されている。
【００３０】
一方で、肩、首、腰以外の体の部位、例えば、頭についても凝りなどの症状に悩まされることがある。しかしながら、上記特許文献１，２のように、頭皮を優しく刺激するような器具は存在するものの、頭の凝りを解すような力を加えることができないという課題がある。このような課題に対し、本考案に係る実施形態のマッサージ器具１０は顕著な効果を発揮する。
【００３１】
最初に、ユーザは、ヘアブラシの持ち手部分を握るかのように、把持部１６を握り、頭の凝りがある部分に各突起部１４を接触させて押し付ける。適度な圧力を加えた状態のまま、ヘアブラシで髪を解くような動きをさせて、各突起部１４を移動させる。
【００３２】
このように、頭皮の経絡や反射区を擦って刺激することで、毛細血管に圧を加えて血液の毒を肌表面に押し出し、経絡の流れを良くし、これにより、頭の凝りなどを解すことができるという顕著な効果を奏する。
【００３３】
本考案の実施形態に係るマッサージ器具１０によれば、ヘアブラシのように持って操作できるため、簡便に頭に適度な圧力を加えた状態で、マッサージを行うことができるという顕著な効果を奏する。
【００３４】
また、マッサージ器具１０によれば、本体部１２、複数の突起部１４、及び、把持部１６は、セルロース系樹脂で構成されているため、水やお湯に濡れても問題ないため、例えば、お風呂場で湯舟に浸かりながらマッサージすることもできるというメリットがある。すなわち、マッサージ器具１０は、場所を問わずにマッサージすることが出来る。
【００３５】
さらに、マッサージ器具１０によれば、本体部１２の湾曲部１２ａでマッサージすることもでき、把持部１６の基端部でツボを押すなどすることも好ましい。また、マッサージ器具１０によれば、頭のみならず、例えば、顔、ふくらはぎや、太もも、脚の裏など体の至る部位をマッサージして血流を良くすることが出来る。
【００３６】
マッサージ器具１０は、セルロース系樹脂で構成されているため、透明度が高く、綺麗な色で構成することができるため、お洒落な器具にすることが出来る。これを用いて、まるで髪の毛をとくかのように自然にマッサージをすることもできる。
【符号の説明】
【００３７】
１０  マッサージ器具、１２  本体部、１２ａ  突起部、１４ａ  湾曲部、１６  把持部。
【図１】
0003234949.tif 000003